(57)【要約】【課題】薄型の液晶テレビなどの被梱包物を梱包する場合に、梱包箱の大きさを増すことなく緩衝部材の強度を増して、外部の衝撃から被梱包物を確実に保護することができる梱包構造及び緩衝部材を提供する。【解決手段】液晶テレビ１の右下角部分を挿入する凹部８１を有し、液晶テレビ１と底側梱包箱２０の間に介在して外部の衝撃から液晶テレビ１を保護する右底側緩衝部材８０の右側面に突起部８３を形成する。底側梱包箱２０の右壁部２４には突起部８３を収容する穴部２６を形成する。左底側緩衝部材９０及び底側梱包箱２０の左壁部２５に関しても同様の構成とする。【選択図】図１
2008105683.tif 000002
【特許請求の範囲】
【請求項１】
被梱包物を収容する梱包箱と、前記被梱包物及び前記梱包箱の間に介在する緩衝部材とを備え、前記梱包箱及び緩衝部材により前記被梱包物を梱包する梱包構造において、
前記緩衝部材は、
多面体状をなし、
前記梱包箱の内面に当接する当接面と、
該当接面以外の一又は複数の面に亘って形成され、前記被梱包物の一部又は全部を挿入する凹部と、
前記当接面に形成された突起部と
を有し、
前記梱包箱は、前記緩衝部材の当接面が当接する内面に、前記突起部を収容する穴部を有すること
を特徴とする梱包構造。
【請求項２】
平板状の被梱包物を収容する直方体状の梱包箱と、前記被梱包物及び前記梱包箱の間に介在する緩衝部材とを備え、前記梱包箱及び緩衝部材により前記被梱包物を梱包する梱包構造において、
前記緩衝部材は、
直方体状をなし、
前記梱包箱の内面に当接する当接面と、
該当接面以外の一又は複数の面に亘って形成され、前記被梱包物の角部分を挿入する凹部と、
前記当接面に形成された突起部と
を有し、
前記梱包箱は、前記緩衝部材の当接面が当接する内面に、前記突起部を収容する穴部を有すること
を特徴とする梱包構造。
【請求項３】
前記突起部が形成された当接面は、前記凹部が形成された面に交差する方向の面である請求項１又は請求項２に記載の梱包構造。
【請求項４】
前記梱包箱は、第１の箱状部品と、該第１の箱状部品に外嵌する第２の箱状部品とに分離可能にしてあり、
前記穴部は、前記第１の箱状部品の前記第２の箱状部品との嵌合部分に形成してある請求項１乃至請求項３のいずれか１つに記載の梱包構造。
【請求項５】
前記緩衝部材の突起部の突出量は、前記第１の箱状部品の穴部が形成された部分の厚み以下にしてある請求項４に記載の梱包構造。
【請求項６】
被梱包物及び該被梱包物を収容する梱包箱の間に介在する緩衝部材において、
多面体状をなし、
前記梱包箱の内面に当接する当接面と、
該当接面以外の一又は複数の面に亘って形成され、前記被梱包物の一部又は全部を挿入する凹部と、
前記当接面に形成された突起部と
を備えることを特徴とする緩衝部材。
【請求項７】
平板状の被梱包物及び該梱包物を収容する直方体状の梱包箱の間に介在する緩衝部材において、
直方体状をなし、
前記梱包箱の内面に当接する当接面と、
該当接面以外の一又は複数の面に亘って形成され、前記被梱包物の角部分を挿入する凹部と、
前記当接面に形成された突起部と
を備えることを特徴とする緩衝部材。
【請求項８】
前記突起部が形成された当接面は、前記凹部が形成された面に交差する方向の面である請求項６又は請求項７に記載の緩衝部材。
【発明の詳細な説明】
【技術分野】
【０００１】
本発明は、例えば薄型の液晶テレビなどの電化製品を梱包する梱包構造及び緩衝部材に関する。
【背景技術】
【０００２】
液晶テレビなどの電化製品は、製造後にダンボールなどの梱包箱にそれぞれ収容され、小売店などに出荷され、最終的には梱包箱に収容された状態のままユーザの元へ届けられる。製造工場からユーザの元へ電化製品が届けられる間に、梱包箱に収容された電化製品は各種の交通手段により搬送されるが、このときに外部からの振動又は衝撃等によって梱包箱内の電化製品が破損する虞がある。このため、梱包箱内には例えば発泡スチロール製の緩衝部材が電化製品と梱包箱との間に介在して設けられ、緩衝部材により外部からの振動又は衝撃等を吸収し、電化製品が破損することを防止している。
【０００３】
図６は、従来の梱包構造の構成を示す斜視図である。図において１は略矩形の平板状の外観をなす液晶テレビであり、図６には液晶テレビ１が梱包された状態を図示してある。従来の梱包構造では、液晶テレビ１の全体を覆うビニール製の梱包袋１１５と、液晶テレビ１の下側の略中央部分、右下側の角部分及び左下側の角部分をそれぞれ挟むように取り付けられる中央底側緩衝部材１４０、右底側緩衝部材１５０及び左底側緩衝部材１６０等の発泡スチロール製の緩衝部材と、梱包袋１１５に覆われ、中央底側緩衝部材１４０、右底側緩衝部材１５０及び左底側緩衝部材１６０が取り付けられた液晶テレビ１を収容する底側梱包箱１２０とを用いて梱包を行うようにしてある。なお、従来の梱包構造では、この他に液晶テレビ１の上側の部分に取り付けられる緩衝部材、及び底側梱包箱１２０に外嵌し、液晶テレビ１の上側を収容する天側梱包箱等を更に用いるが、図６において図示は省略してある。
【０００４】
図７は、従来の梱包構造の右底側緩衝部材１５０の構成を示す斜視図である。右底側緩衝部材１５０は、略直方体形をなし、天面及び一側面の２つの面に亘って凹部１５１が形成してある。右底側緩衝部材１５０の凹部１５１は、液晶テレビ１の右下側の角部分に嵌合するように収容できるようにしてあり、これにより右底側緩衝部材１５０を液晶テレビ１の右下の角部分に取り付けるようにしてある。また、他の３つの側面及び底面は、底側梱包箱１２０に右底側緩衝部材１５０が収容された場合に、底側梱包箱１２０の内面に当接するようにしてある。これにより、右底側緩衝部材１５０が液晶テレビ１と底側梱包箱１２０との間に介在して、落下の衝撃などを吸収し、液晶テレビ１が破損することを防止するようにしてある。
【０００５】
以上の構成の従来の梱包構造では、例えば梱包された液晶テレビ１が右下の角部分を下にして落下した場合、右底側緩衝部材１５０には凹部１５１の内面から凹部１５１が形成されていない他の３面又は底面へ向けて（特に、右側面へ向けて）、液晶テレビ１の加重が加わる（図７の白抜きの矢印参照）。右底側緩衝部材１５０は発泡スチロール製であるため、加わる力が一定以上に達すると図７に示すように亀裂２００が生じる虞があり、また、更に大きな力が加わった場合には右底側緩衝部材１５０が割れて分離する虞があった。
【０００６】
特許文献１においては、厚紙によって形成され、被包装物を挿入するための開口を有する箱状をなし、開口の周囲の側部の厚紙を３枚以上の厚紙を重ね合わせて形成した構成の包装用緩衝材が提案されている。この包装用緩衝材は、安易な構成で緩衝材の側部への過重に対する強度を向上することができる。
【特許文献１】特開２００２−１９３３３９号公報
【発明の開示】
【発明が解決しようとする課題】
【０００７】
しかしながら、特許文献１に記載の包装用緩衝材は、被包装物の側部を全て覆うようにして取り付ける必要がある。よって、大型の液晶テレビなどを包装する場合、包装用緩衝材は液晶テレビの側部を覆うことができる大型のものである必要があり、包装用緩衝材のコストが増大するという問題がある。また、大型の包装用緩衝材を用いる場合には、これらを収容する包装箱もまた大型である必要があり、包装箱のコストが増大すると共に、搬送が困難となる虞がある。
【０００８】
このため、大型の液晶テレビなどを梱包する場合には、図６及び図７に示すように、液晶テレビ１の側部全体ではなく、角部分などの一部分に緩衝部材を取り付け、緩衝部材を取り付けた液晶テレビ１を梱包箱に収容する構成が望ましい。しかし、この構成では上述のように液晶テレビ１の加重により緩衝部材の特定箇所に亀裂が生じ、緩衝部材が割れて分離する虞があるため、これを防止することができる緩衝部材が求められる。
【０００９】
本発明は、斯かる事情に鑑みてなされたものであって、その目的とするところは、被梱包物を収容する梱包箱と、被梱包物及び梱包箱の間に介在し、梱包箱の内面に当接しない一の面又は複数の面に亘って被梱包物の一部又は全部を挿入する凹部を形成した多面体状の緩衝部材とを用いて、梱包箱の内面に当接する緩衝部材の当接面に突起部を形成すると共に、梱包箱に緩衝部材の突起部を収容する穴部を形成する構成とすることにより、梱包箱の大きさを増すことなく、緩衝部材の強度を増すことができる梱包構造を提供することにある。
【００１０】
また本発明の他の目的とするところは、平板状の被梱包物を収容する直方体状の梱包箱と、被梱包物及び梱包箱の間に介在し、梱包箱の内面に当接しない一の面又は複数の面に亘って被梱包物の角部分を挿入する凹部を形成した直方体状の緩衝部材とを用いて、梱包箱の内面に当接する緩衝部材の当接面に突起部を形成すると共に、梱包箱に緩衝部材の突起部を収容する穴部を形成する構成とすることにより、液晶テレビなどの平板状の被梱包物を梱包する場合に、梱包箱の大きさを増すことなく、緩衝部材の強度を増すことができる梱包構造を提供することにある。
【００１１】
また本発明の他の目的とするところは、緩衝部材の突起部を凹部が形成された面に交差する方向の面に形成する構成とすることにより、被梱包物の加重により亀裂が生じやすい部分の強度を増すことができる梱包構造を提供することにある。
【００１２】
また本発明の他の目的とするところは、梱包箱を第１の箱状部品とこれに外嵌する第２の箱状部品とに分離可能とし、穴部を第１の箱状部品の第２の箱状部品との嵌合部分に形成する構成とすることにより、穴部が梱包箱の外部に露出することがない梱包構造を提供することにある。
【００１３】
また本発明の他の目的とするところは、緩衝部材の突起部の突出量を、第１の箱状部品の穴部が形成された部分の厚み以下とする構成とすることにより、緩衝部材の突起部を第１の箱状部品の穴部から突出させることなく、穴部に確実に収容することができる梱包構造を提供することにある。
【００１４】
また本発明の他の目的とするところは、多面体状をなし、被梱包物及び梱包箱の間に介在し、梱包箱の内面に当接しない一の面又は複数の面に亘って被梱包物の一部又は全部を挿入する凹部を形成すると共に、梱包箱の内面に当接する当接面に突起部を形成する構成とすることにより、強度の高い緩衝部材を提供することにある。
【００１５】
また本発明の他の目的とするところは、直方体状をなし、平板状の被梱包物及び梱包箱の間に介在し、梱包箱の内面に当接しない一の面又は複数の面に亘って被梱包物の角部分を挿入する凹部を形成すると共に、梱包箱の内面に当接する当接面に突起部を形成する構成とすることにより、液晶テレビなどの被梱包物の加重に対して、強度の高い緩衝部材を提供することにある。
【００１６】
また本発明の他の目的とするところは、突起部を凹部が形成された面に交差する方向の面に形成する構成とすることにより、被梱包物の加重により亀裂が生じやすい部分の強度を増すことができる緩衝部材を提供することにある。
【課題を解決するための手段】
【００１７】
本発明に係る梱包構造は、被梱包物を収容する梱包箱と、前記被梱包物及び前記梱包箱の間に介在する緩衝部材とを備え、前記梱包箱及び緩衝部材により前記被梱包物を梱包する梱包構造において、前記緩衝部材は、多面体状をなし、前記梱包箱の内面に当接する当接面と、該当接面以外の一又は複数の面に亘って形成され、前記被梱包物の一部又は全部を挿入する凹部と、前記当接面に形成された突起部とを有し、前記梱包箱は、前記緩衝部材の当接面が当接する内面に、前記突起部を収容する穴部を有することを特徴とする。
【００１８】
本発明においては、被梱包物を収容する梱包箱と、被梱包物及び梱包箱の間に介在する緩衝部材とにより被梱包部材を梱包し、外部からの衝撃を緩衝部材にて吸収することで被梱包物を保護する。このとき、緩衝部材を多面体状とし、梱包箱の内面に当接する当接面以外の一の面又は複数の面に亘って凹部を形成し、被梱包物の一部又は全部を凹部に挿入して緩衝部材を被梱包物に取り付ける。更に、緩衝部材の当接面に突起部を形成し、突起部の厚み分だけ緩衝部材の厚みを増して、緩衝部材の強度を増す。また、梱包箱に穴部を形成して緩衝部材の突起部を収容することにより、緩衝部材の厚みを増した分だけ梱包箱の大きさが増すことを防ぐことができる。
【００１９】
また、本発明に係る梱包構造は、平板状の被梱包物を収容する直方体状の梱包箱と、前記被梱包物及び前記梱包箱の間に介在する緩衝部材とを備え、前記梱包箱及び緩衝部材により前記被梱包物を梱包する梱包構造において、前記緩衝部材は、直方体状をなし、前記梱包箱の内面に当接する当接面と、該当接面以外の一又は複数の面に亘って形成され、前記被梱包物の角部分を挿入する凹部と、前記当接面に形成された突起部とを有し、前記梱包箱は、前記緩衝部材の当接面が当接する内面に、前記突起部を収容する穴部を有することを特徴とする。
【００２０】
本発明においては、被梱包物を収容する直方体状の梱包箱と、被梱包物及び梱包箱の間に介在する緩衝部材とにより液晶テレビなどの平板状の被梱包物を梱包し、外部からの衝撃を緩衝部材にて吸収することで被梱包物を保護する。このとき、緩衝部材を直方体状とし、梱包箱の内面に当接する当接面以外の一の面又は複数の面に亘って凹部を形成し、被梱包物の角部分を凹部に挿入して緩衝部材を被梱包物に取り付ける。これにより、液晶テレビなどの被梱包物に適した梱包形態で梱包を行うことができる。更に、緩衝部材の当接面に突起部を形成し、突起部の厚み分だけ緩衝部材の厚みを増して、緩衝部材の強度を増す。また、梱包箱に穴部を形成して緩衝部材の突起部を収容することにより、緩衝部材の厚みを増した分だけ梱包箱の大きさが増すことを防ぐことができる。
【００２１】
また、本発明に係る梱包構造は、前記突起部が形成された当接面は、前記凹部が形成された面に交差する方向の面であることを特徴とする。
【００２２】
本発明においては、緩衝部材の突起部を凹部が形成された面に交差する方向の面に形成する。これにより、凹部に挿入された被梱包物による加重が加わり易い面に突起部を形成して厚みを増すことができるため、より効果的に緩衝部材の強度を増すことができる。
【００２３】
また、本発明に係る梱包構造は、前記梱包箱が、第１の箱状部品と、該第１の箱状部品に外嵌する第２の箱状部品とに分離可能にしてあり、前記穴部は、前記第１の箱状部品の前記第２の箱状部品との嵌合部分に形成してあることを特徴とする。
【００２４】
本発明においては、梱包箱を第１の箱状部品と第２の箱状部品とに分離可能とし、第２の箱状部品が第１の箱状部品に外嵌する構成とする。緩衝部材の突起部を収容する穴部を、第１の箱状部品の第２の箱状部品との嵌合部分に形成する。これにより、第１の箱状部品に形成された穴部は、第１の箱状部品に第２の箱状部品を外嵌させた場合に、第２の箱状部品により覆われるため外部に露出しない。
【００２５】
また、本発明に係る梱包構造は、前記緩衝部材の突起部の突出量が、前記第１の箱状部品の穴部が形成された部分の厚み以下にしてあることを特徴とする。
【００２６】
本発明においては、緩衝部材の突起部の突出量を第１の箱状部品の穴部が形成された部分の厚み以下とする。第１の箱状部品に形成された穴部が第１の箱状部品を貫通する穴であり、突起部の突出量が穴部の形成された部分の厚みより多い場合には、突起部が穴部を一側から他側へ挿通し、他側から突出するため、第２の箱状部品を第１の箱状部品に外嵌させる際に突起部が妨げとなる。また、穴部が第１の箱状部品を貫通しない穴であり、突起部の突出量が穴部の形成された部分の厚みより多い場合には、突起部の全てを穴部内に収容することができないため、緩衝部材に突起部がない場合と比較して、第１の箱状部品を大きくする必要がある。よって、突起部の突出量を穴部が形成された部分の厚み以下とすることにより、これらの問題を解決できる。
【００２７】
また、本発明に係る緩衝部材は、被梱包物及び該被梱包物を収容する梱包箱の間に介在する緩衝部材において、多面体状をなし、前記梱包箱の内面に当接する当接面と、該当接面以外の一又は複数の面に亘って形成され、前記被梱包物の一部又は全部を挿入する凹部と、前記当接面に形成された突起部とを備えることを特徴とする。
【００２８】
本発明においては、被梱包物及び梱包箱の間に介在する緩衝部材を多面体状とし、梱包箱の内面に当接する当接面以外の一の面又は複数の面に亘って凹部を形成し、被梱包物の一部又は全部を凹部に挿入して緩衝部材を被梱包物に取り付ける。更に、緩衝部材の当接面に突起部を形成し、突起部の厚み分だけ緩衝部材の厚みを増して、緩衝部材の強度を増す。
【００２９】
また、本発明に係る緩衝部材は、平板状の被梱包物及び該梱包物を収容する直方体状の梱包箱の間に介在する緩衝部材において、直方体状をなし、前記梱包箱の内面に当接する当接面と、該当接面以外の一又は複数の面に亘って形成され、前記被梱包物の角部分を挿入する凹部と、前記当接面に形成された突起部とを備えることを特徴とする。
【００３０】
本発明においては、平板状の被梱包物及び直方体状の梱包箱の間に介在する緩衝部材を直方体状とし、梱包箱の内面に当接する当接面以外の一の面又は複数の面に亘って凹部を形成し、被梱包物の角部分を凹部に挿入して緩衝部材を被梱包物に取り付ける。これにより、液晶テレビなどの被梱包物に適した梱包形態で梱包を行うことができる。更に、緩衝部材の当接面に突起部を形成し、突起部の厚み分だけ緩衝部材の厚みを増して、緩衝部材の強度を増す。
【００３１】
また、本発明に係る緩衝部材は、前記突起部が形成された当接面が、前記凹部が形成された面に交差する方向の面であることを特徴とする。
【００３２】
本発明においては、突起部を凹部が形成された面に交差する方向の面に形成する。これにより、凹部に挿入された被梱包物による加重が加わり易い面に突起部を形成して厚みを増すことができるため、より効果的に緩衝部材の強度を増すことができる。
【発明の効果】
【００３３】
本発明による場合は、被梱包物を収容する梱包箱と、被梱包物及び梱包箱の間に介在し、梱包箱の内面に当接しない一の面又は複数の面に亘って被梱包物の一部又は全部を挿入する凹部を形成した多面体状の緩衝部材とを備えて、梱包箱の内面に当接する緩衝部材の当接面に突起部を形成すると共に、梱包箱に緩衝部材の突起部を収容する穴部を形成する構成とすることにより、梱包箱の大きさを増すことなく、突起部の厚みの分だけ緩衝部材の強度を増すことができるため、緩衝部材に亀裂又は分離等が発生することを防止でき、被梱包物を外部の衝撃から確実に保護することができる。
【００３４】
また、本発明による場合は、平板状の被梱包物を収容する直方体状の梱包箱と、被梱包物及び梱包箱の間に介在し、梱包箱の内面に当接しない一の面又は複数の面に亘って被梱包物の角部分を挿入する凹部を形成した直方体状の緩衝部材とを備えて、梱包箱の内面に当接する緩衝部材の当接面に突起部を形成すると共に、梱包箱に緩衝部材の突起部を収容する穴部を形成する構成とすることにより、液晶テレビなどの平板状の被梱包物を梱包する場合に、梱包箱の大きさを増すことなく、突起部の厚みの分だけ緩衝部材の強度を増すことができるため、緩衝部材に亀裂又は分離等が発生することを防止でき、液晶テレビなどの被梱包物を外部の衝撃から確実に保護することができる。
【００３５】
また、本発明による場合は、緩衝部材の突起部を凹部が形成された面に交差する方向の面に形成する構成とすることにより、凹部に挿入された被梱包物による加重が加わり易い面に突起部を形成して厚みを増すことができ、より効果的に緩衝部材の強度を増すことができるため、緩衝部材に亀裂又は分離等が発生することをより確実に防止でき、被梱包物を外部の衝撃からより確実に保護することができる。
【００３６】
また、本発明による場合は、梱包箱を第１の箱状部品とこれに外嵌する第２の箱状部品とに分離可能とし、穴部を第１の箱状部品の第２の箱状部品との嵌合部分に形成する構成とすることにより、第１の箱状部品に第２の箱状部品を外嵌させた場合に、第１の箱状部品に形成された穴部は第２の箱状部品により覆われて外部に露出しないため、優れた美観の梱包状態で被梱包物を提供することができる。
【００３７】
また、本発明による場合は、緩衝部材の突起部の突出量を、第１の箱状部品の穴部が形成された部分の厚み以下とする構成とすることにより、緩衝部材の突起部を第１の箱状部品の穴部から突出させることなく、穴部に確実に収容することができるため、梱包箱の大きさを増すことなく緩衝部材の厚みを増すことができ、緩衝部材に亀裂又は分離等が発生することをより確実に防止できる。
【００３８】
また、本発明による場合は、多面体状をなし、被梱包物及び梱包箱の間に介在し、梱包箱の内面に当接しない一の面又は複数の面に亘って被梱包物の一部又は全部を挿入する凹部を形成すると共に、梱包箱の内面に当接する当接面に突起部を形成する構成とすることにより、突起部の厚みの分だけ緩衝部材の強度を増すことができるため、緩衝部材に亀裂又は分離等が発生することを防止でき、被梱包物を外部の衝撃から確実に保護することができる。
【００３９】
また、本発明による場合は、直方体状をなし、平板状の被梱包物及び梱包箱の間に介在し、梱包箱の内面に当接しない一の面又は複数の面に亘って被梱包物の角部分を挿入する凹部を形成すると共に、梱包箱の内面に当接する当接面に突起部を形成する構成とすることにより、液晶テレビなどの平板状の被梱包物に適した梱包形態で梱包を行うことができ、また、突起部の厚みの分だけ緩衝部材の強度を増すことができるため、緩衝部材に亀裂又は分離等が発生することを防止でき、液晶テレビなどの被梱包物を外部の衝撃から確実に保護することができる。
【００４０】
また、本発明による場合は、突起部を凹部が形成された面に交差する方向の面に形成する構成とすることにより、凹部に挿入された被梱包物による加重が加わり易い面に突起部を形成して厚みを増すことができ、より効果的に緩衝部材の強度を増すことができるため、緩衝部材に亀裂又は分離等が発生することをより確実に防止でき、被梱包物を外部の衝撃からより確実に保護することができる。
【発明を実施するための最良の形態】
【００４１】
以下、本発明をその実施の形態を示す図面に基づき具体的に説明する。図１〜図３は、本発明に係る梱包構造の構成及び梱包過程を示す斜視図であり、図１から図３へ時系列に梱包過程を図示してある。図において１は液晶テレビであり、本実施の形態に係る梱包構造では液晶テレビ１を梱包する。液晶テレビ１は、略矩形の平板状をなす筐体の幅広の一面に表示画面を有する本体部と、表示画面が設けられた面の反対側の面に固定されて本体部を支持するスタンドとを備える構成である。なお、以下の記述においては、液晶テレビ１の表示画面が設けられた側を正面側と呼称し、これの反対側を背面側と呼称し、表示画面に向かって左右をそれぞれ左側及び右側と呼称する。また、液晶テレビ１のスタンドは、床面、机面又はテレビ台等に当接する板状のベース部と、このベース部に立設されて端部が液晶テレビ１の本体部の背面に連結される支軸部とを有し、床上、机上又はテレビ台上に本体部を支持する構成である。
【００４２】
本実施の形態に係る梱包構造では、液晶テレビ１の本体部を覆うビニール製の梱包袋１５と、スタンドのベース部を覆う梱包袋１６とを用いて梱包を行うようにしてある。梱包袋１５及び１６は略矩形の所謂ビニール袋であり、スタンドのベース部を覆う梱包袋１６には支軸部を梱包袋１６外に露出させるための切り込みが形成してある。液晶テレビ１の梱包を行う場合には、まず、梱包袋１５にて液晶テレビ１の本体部を覆うと共に、梱包袋１６にて液晶テレビ１のスタンドのベース部を覆うようにしてある。
【００４３】
また、本実施の形態に係る梱包構造では、液晶テレビ１を収容する扁平な直方体状をなすダンボール製の梱包箱と、液晶テレビ１及び梱包箱の間に介在して外部の衝撃から液晶テレビ１を保護する発泡スチロール製の緩衝部材とを更に用いて梱包を行うようにしてある。梱包箱は、底側梱包箱２０及び天側梱包箱３０の２つの部品に分離することができるようにしてある。底側梱包箱２０は、略長方形の底壁部２１と、底壁部２１の四辺に略垂直に設けられた正面壁部２２、背面壁部２３、右壁部２４及び左壁部２５とにより構成されており、これらで囲まれた空間に液晶テレビ１の本体部の下側部分及びスタンドを収容するようにしてある。また、詳細は後述するが、底側梱包箱２０の右壁部２４及び左壁部２５には、上下方向の中央より若干上側に、正背方向に長い略長方形の穴部２６がそれぞれ形成してある。
【００４４】
天側梱包箱３０は、正面壁部３１、背面壁部３２、右壁部３３及び左壁部３４に囲まれた四角筒状をなしている。天側梱包箱３０の内周の大きさは底側梱包箱２０の外周の大きさと略等しくしてあり、天側梱包箱３０を底側梱包箱２０に外嵌させて、底側梱包箱２０の正面壁部２２、背面壁部２３、右壁部２４及び左壁部２５を、天側梱包箱３０の正面壁部３１、背面壁部３２、右壁部３３及び左壁部３４がそれぞれ覆うようにしてある。また、天側梱包箱３０は、正面壁部３１、背面壁部３２、右壁部３３及び左壁部３４の一端（天側端）にそれぞれ設けられた正面側フラップ部３５、背面側フラップ部３６、右側フラップ部３７及び左側フラップ部３８を有しており、これらの４つのフラップ部を閉じることで、天側梱包箱３０の蓋をなすようにしてある。
【００４５】
分離された底側梱包箱２０及び天側梱包箱３０は、天側梱包箱３０を底側梱包箱２０に外嵌させた後、固定部材４７を用いて天側梱包箱３０を底側梱包箱２０に固定することによって、１つの梱包箱をなすようにしてある。このため、底側梱包箱２０の正面壁部２２及び背面壁部２３には、左右方向の両端近傍に、固定部材４７が挿通するための被固定穴２７がそれぞれ形成してあり、また、天側梱包箱３０の正面壁部３１及び背面壁部３２には、左右方向の両端近傍の下側に、固定部材４７が挿通するための被固定穴３９がそれぞれ形成してある。底側梱包箱２０の被固定穴２７及び天側梱包箱３０の被固定穴３９は、天側梱包箱３０を底側梱包箱２０に外嵌した場合に連なる位置にそれぞれ形成してあり、この状態で固定部材４７が底側梱包箱２０の被固定穴２７及び天側梱包箱３０の被固定穴３９を挿通することによって、底側梱包箱２０及び天側梱包箱３０を分離不可能に固定することができるようにしてある。
【００４６】
また、本実施の形態に係る梱包構造の緩衝部材は、右天側緩衝部材５０、左天側緩衝部材６０、中央底側緩衝部材７０、右底側緩衝部材８０及び左底側緩衝部材９０の５つで構成されている。左天側緩衝部材６０は直方体状をなしており、底面及び右側面に亘って、液晶テレビ１の本体部の左天側の角部分を収容する凹部６１が形成してある。左天側緩衝部材６０の正面は天側梱包箱３０の正面壁部３１に当接し、左天側緩衝部材６０の左側面は天側梱包箱３０の左壁部３４に当接し、左天側緩衝部材６０の背面は天側梱包箱３０の背面壁部３２に当接するようにしてある。
【００４７】
同様に、右天側緩衝部材５０は直方体状をなしており、底面及び左側面に亘って、液晶テレビ１の本体部の右天側の角部分を収容する凹部（図示せず）が形成してある。右天側緩衝部材５０の正面は天側梱包箱３０の正面壁部３１に当接し、右天側緩衝部材５０の右側面は天側梱包箱３０の右壁部３３に当接し、右天側緩衝部材５０の背面は天側梱包箱３０の背面壁部３２に当接するようにしてある。即ち、左天側緩衝部材６０及び右天側緩衝部材５０は左右に略対称な形状である。
【００４８】
中央底側緩衝部材７０は、正面視が略矩形をなし、側面視が略Ｕ字型をなしており、液晶テレビ１の本体部の下側の中央部分とスタンドとをＵ字の間隙に挟んで保持するようにしてある。中央底側緩衝部材７０の底面は底側梱包箱２０の底壁部２１に当接し、中央底側緩衝部材７０の正面は底側梱包箱２０の正面壁部２２に当接し、中央底側緩衝部材７０の背面は底側梱包箱２０の背面壁部２３に当接するようにしてある。
【００４９】
図４は、本発明に係る梱包構造の右底側緩衝部材８０の構成を示す斜視図である。右底側緩衝部材８０は直方体状をなしており、天面及び左側面に亘って、液晶テレビ１の本体部の右底側の角部分を収容する凹部８１が形成してある。右底側緩衝部材８０の底面は底側梱包箱２０の底壁部２１に当接し、右底側緩衝部材８０の正面は底側梱包箱２０の正面壁部２２に当接し、右底側緩衝部材８０の背面は底側梱包箱２０の背面壁部２３に当接し、右底側緩衝部材８０の右側面は底側梱包箱２０の右壁部２４に当接するようにしてある。
【００５０】
また、右底側緩衝部材８０の高さは底側梱包箱２０の正面壁部２２、背面壁部２３及び右壁部２４の高さより高くしてある。右底側緩衝部材８０を底側梱包箱２０内に収容した場合に、底側梱包箱２０の正面壁部２２、背面壁部２３及び右壁部２４の上端より上側に露出する右底側緩衝部材８０の正面、背面及び右側面には、鍔状に迫り出したフランジ部８２が設けてある。フランジ部８２の迫り出し量は、底側梱包箱２０の正面壁部２２、背面壁部２３及び右壁部２４の厚みに略等しくしてある。
【００５１】
また、右底側緩衝部材８０の右側面には、正背方向に長い略長方形の突起部８３が右方向へ向けて突出して形成してある。突起部８３は、右底側緩衝部材８０の右側面の上下方向の中央より若干上側に形成してある。この形成位置は上下方向で凹部８１が形成された位置に対応する位置であり、即ち、凹部８１と突起部８３とが左右方向に発泡スチロールの壁を隔てて設けられている。また、突起部８３の右底側緩衝部材８０の右側面からの突出量は、底側梱包箱２０の右壁部２４の厚みに略等しくしてある。
【００５２】
図５は、本発明に係る梱包構造の底側梱包箱２０に液晶テレビ１及び右底側緩衝部材８０が収容された状態を示す模式的断面図である。右底側緩衝部材８０は底側梱包箱２０内の右端側に収容され、収容された状態では右底側緩衝部材８０の右側面が底側梱包箱２０の右壁部２４の内面に当接し、右底側緩衝部材８０の底面が底側梱包箱２０の底壁部２１の内面に当接する。この状態では、右底側緩衝部材８０のフランジ部８２は、底側梱包箱２０の右壁部２４の上側に迫り出し、右壁部２４の上端面に当接するようにしてある。図５において図示は省略してあるが、底側梱包箱２０の正面側及び背面側に関しても同様に、右底側緩衝部材８０のフランジ部８２が正面壁部２２及び背面壁部２３の上側に迫り出し、正面壁部２２及び背面壁部２３の上端面に当接するようにしてある。
【００５３】
また、底側梱包箱２０の穴部２６は右底側緩衝部材８０の突起部８３と略同じ形状にしてあり、底側梱包箱２０の底壁部２１及び右壁部２４の内面に右底側緩衝部材８０の底面及び右側面がそれぞれ当接した状態で、右底側緩衝部材８０の突起部８３が挿入される位置で右側壁２４に穴部２６が形成してある。右底側緩衝部材８０のフランジ部８２の迫り出し量及び突起部８３の突出量は底側梱包箱２０の右壁部２４の厚みと略同じにしてあるため、右壁部２４より外側へフランジ部８２又は突起部８３が突出することはなく、天側梱包箱３０を底側梱包箱２０に外嵌させる場合にフランジ部８２及び突起部８３が妨げとならないようにしてある。
【００５４】
同様に、左底側緩衝部材９０は直方体状をなしており、天面及び右側面に亘って、液晶テレビ１の本体部の左底側の角部分を収容する凹部９１が形成してある。また、左底側緩衝部材９０の正面、背面及び左側面の上部には、鍔状に迫り出したフランジ部９２が設けてあり、左側面の上下方向の中央より若干上側に突起部（図示せず）が形成してある。即ち、左底側緩衝部材９０及び右底側緩衝部材８０は左右に略対称な形状である。
【００５５】
本実施の形態に係る梱包構造により液晶テレビ１を梱包する場合、まず、液晶テレビ１の本体部を梱包袋１５で覆い、スタンドのベース部を梱包袋１６で覆う。これとは別に、底側梱包箱２０内に正面底側緩衝部材７０、右底側緩衝部材８０及び左底側緩衝部材９０を収容する。このとき、正面底側緩衝部材７０は底側梱包箱２０の左右方向の略中央に収容し、右底側緩衝部材８０は、底側梱包箱２０の右側の穴部２６に突起部８３が収容されるよう、右側面を右壁部２４の内面に当接させて収容し、左底側緩衝部材９０は、底側梱包箱２０の左側の穴部２６に突起部が収容されるよう、左側面を左壁部２５の内面に当接させて収容する。次いで、梱包袋１５及び１６により覆われた液晶テレビ１を、正面底側緩衝部材７０のＵ字の間隙部分、右底側緩衝部材８０の凹部８１、及び左底側緩衝部材９０の凹部９１に挿入して、底側梱包箱２０内に液晶テレビ１の底側部分を収容する（図１参照）。
【００５６】
次いで、天側梱包箱３０を底側梱包箱２０に天側から外嵌させ、右天側緩衝部材５０及び左天側緩衝部材６０を液晶テレビ１の本体部の右天側の角部分及び左天側の角部分に取り付ける（図２参照）。次いで、天側梱包箱３０の正面側フラップ部３５、背面側フラップ部３６、右側フラップ部３７及び左側フラップ部３８を閉じて天側を封止すると共に、天側梱包箱３０の被固定穴３９及び底側梱包箱２０の被固定穴２７に固定部材４７を挿通させて天側梱包箱３０及び底側梱包箱２０を固定する（図３参照）。これらの手順により液晶テレビ１の梱包が完了し、液晶テレビ１は緩衝部材により外部の衝撃から保護された状態で梱包箱内に収容される。
【００５７】
以上の構成の梱包構造においては、右底側緩衝部材８０の右側面に突起部８３を形成することによって、右底側緩衝部材８０の右側面の厚みが増すため、右底側緩衝部材８０の強度が増し、搬送途中などに液晶テレビ１の加重が右底側緩衝部材８０の右側面側へ加わった場合であっても、右底側緩衝部材８０に亀裂又は分離等が発生する虞を低減できる。左底側緩衝部材９０に関しても同様である。また、底側梱包箱２０には右壁部２４及び左壁部２５にそれぞれ穴部２６を形成し、右底側緩衝部材８０の突起部８３及び左底側緩衝部材９０の突起部をそれぞれ収容する構成とすることによって、右底側緩衝部材８０及び左底側緩衝部材９０の厚みを増した分、底側梱包箱２０の大きさを増す必要はなく、梱包箱を大型化することなく右底側緩衝部材８０及び左底側緩衝部材９０の強度を増すことができる。
【００５８】
なお、本実施の形態においては、梱包する被梱包物を液晶テレビ１としたが、これに限るものではなく、他のものであってもよく、緩衝部材及び梱包箱の大きさ及び形状等は被梱包物の大きさ及び形状等に応じた適切なものとすればよい。また、天側梱包箱３０及び底側梱包箱２０をダンボール製としたが、これに限るものではなく、厚紙製又は木製等の他の材質によるものであってもよい。また、右天側緩衝部材５０、左天側緩衝部材６０、中央底側緩衝部材７０、右底側緩衝部材８０及び左底側緩衝部材９０等の緩衝部材を発泡スチロール製としたが、これに限るものではなく、厚紙製又は合成樹脂製等の他の材質によるものであってもよい。また、液晶テレビ１を覆う梱包袋１５及び１６をビニール製としたが、これに限るものではなく、紙製などの他の材質によるものであってもよい。また、梱包袋１５及び１６を用いない構成であってもよい。
【００５９】
また、右底側緩衝部材８０の右側面に突起部８３を形成する構成としたが、これに限るものではなく、正面又は背面等に突起部を形成する構成としてもよい。左底側緩衝部材９０に関しても同様である。更には、中央底側緩衝部材７０の正面又は背面等に突起部を形成する構成としてもよく、右天側緩衝部材５０又は左天側緩衝部材６０に突起部を形成する構成としてもよい。また、突起部８３の形状を略長方形としたが、これに限るものではなく、円形又は三角形等の他の形状としてもよい。また、右底側緩衝部材８０の右側面に突起部８３を１つ形成する構成としたが、これに限るものではなく、複数の突起部を形成してもよい。
【図面の簡単な説明】
【００６０】
【図１】本発明に係る梱包構造の構成及び梱包過程を示す斜視図である。
【図２】本発明に係る梱包構造の構成及び梱包過程を示す斜視図である。
【図３】本発明に係る梱包構造の構成及び梱包過程を示す斜視図である。
【図４】本発明に係る梱包構造の右底側緩衝部材の構成を示す斜視図である。
【図５】本発明に係る梱包構造の底側梱包箱に液晶テレビ及び右底側緩衝部材が収容された状態を示す模式的断面図である。
【図６】従来の梱包構造の構成を示す斜視図である。
【図７】従来の梱包構造の右底側緩衝部材の構成を示す斜視図である。
【符号の説明】
【００６１】
１  液晶テレビ（被梱包物）
１５、１６  梱包袋
２０  底側梱包箱（梱包箱、第１の箱状部品）
２６  穴部
３０  天側梱包箱（梱包箱、第２の箱状部品）
４７  固定部材
５０  右天側緩衝部材（緩衝部材）
６０  左天側緩衝部材（緩衝部材）
６１  凹部
７０  中央底側緩衝部材（緩衝部材）
８０  右底側緩衝部材（緩衝部材）
８１  凹部
８２  フランジ部
８３  突起部
９０  左底側緩衝部材（緩衝部材）
９１  凹部
９２  フランジ部
【図１】
2008105683.tif 000003
【図２】
2008105683.tif 000004
【図３】
2008105683.tif 000005
【図４】
2008105683.tif 000006
【図５】
2008105683.tif 000007
【図６】
2008105683.tif 000008
【図７】
2008105683.tif 000009